(57)【要約】【課題】  従来の滑り止めを目的とした肩掛けバックベルトの支持具は肩から滑り落ちるという不具合があった。本発明は肩掛けバックのベルトに支持具を装着させ、肩掛けバックのベルトを水平に保つことによって肩と滑り止め用材の隙間をなくし、滑り止め用材の摩擦力を最大限発揮させることによって肩掛けバックのベルトの脱落を防止する角度調節可能な肩掛けバックベルトの支持具。【解決手段】肩掛けバックのベルトの支持体（１）の片側に止め具（９）を取り付け、反対側にその一片を引っ掛ける凸部（７）を設けた中央からやや端に角度調節部ａ（８）を設け、補助体（１０）を取り付けた支持具（１）を角度調節部ｂ（１２）と滑り止め用材（１３）を取り付けた本体（１４）に取り付け、止め具（７）で挟み、一片を凸部（７）に引っ掛け装着固定させ外側のベルト（１９）は止め具（９）の上に乗せて使用する角度調節可能な肩掛けバックベルトの支持具。【選択図】  図１
2014050572.tif 000002
【特許請求の範囲】
【請求項１】
支持体（１）の片側に伸縮可能なゴムやスプリング等の止め具（９）を取り付け、反対側にはその一片を引っ掛ける凸部（７）を設け、且つ肩掛けバックベルトの指示具の角度を調節する角度調節部ａ（８）を設けた支持体（１）に補助体（１０）を取り付け、角度調節部a（８）と一体で作用する角度調節部ｂ（１２）を設け、さらに滑り止め用材（１３）を取り付けた本体（１４）に支持体（１）を取り付けた角度調節可能な肩掛けバックベルトの支持具。
【発明の詳細な説明】
【技術分野】
【０００１】
本発明は、肩掛けバックベルトが肩から滑り落ちる不具合を防止することが出来る角度調節可能な肩掛けバックベルトの支持具に関するものである。
【背景技術】
【０００２】
従来、滑り止めを目的とした肩掛けバックのベルトの支持具は支持具の裏に滑り止め用材を用いたもの(特許文献１)、または肩にあたる肩掛けバックのベルトの部分に支持具を巻いてホック等で留めて脱落を防ぐことを目的としたものがある。
【先行技術文献】
【特許文献】
【０００３】
【特許文献１】特開２０００―１３９５４２号公報
【発明の概要】
【発明が解決しようとする課題】
【０００４】
従来の滑り止めを目的とした肩掛けバックベルトの支持具は次のような欠点があった。
（イ）、人それぞれ異なる肩の角度と水平を保とうとする硬度を有する支持具の間には隙間が生じ、さまざまな滑り止め用材を工夫して用いても双方は完全に密着しているといい難かった。
（ロ）その結果、斜めに下がった肩と滑り止め用材の摩擦力は一部分に偏る為、肩掛けバックのベルトは肩から滑り落ちる、という不具合が生じていた。
（ハ）またソフトな洋服生地は痛ませてしまうという欠点もあった。
（ニ）、そして布製のような柔らかい素材やアルミの鎖、また細い肩掛けバックのベルト等の場合は、支持具は付帯されていない場合が多く、その為、直接肩に掛けた場合には肩掛けバックのベルトは肩の外側によじれて脱落するという不具合があった。
【０００５】
（ホ）、一般的には肩掛けバックベルトの支持具は、肩掛けバックのベルトと一体で取り付けられたものが多く、且つ個々の肩掛けバックに合わせて支持具が作られていてコスト、労力の面から見ても無駄があった。
（ヘ）、男性に比べ女性に肩掛けバックベルトの支持具の利用が少ない原因のひとつには、その構造上、機能面のみが優先され、デザインや装身具効果の欠如、という要因があることも否定出来ない。
本発明は、これらの問題点を解決するためになされたものである。
【課題を解決するための手段】
【０００６】
上記目的を達成するため、本発明は、支持体（１）の長径の中央に弧a（２）、弧ｂ（３）とベルト移動防止部（４）を設け、短径の片側には凹部ａ（５）、凹部b（６）を設け、反対側に凸部（７）を設ける。
【０００７】
そして角度調節部a（８）を設けた支持体（１）に止め具（９）を凹部ａ（５）、凹部b（６）に掛け、一片は凸部（７）に引っ掛け、補助体（１０）をネジb（１１）で取り付ける。
【０００８】
その補助体（１０）を取り付けた支持体（１）を角度調節部a（８）と一体で作用する角度調節部ｂ(１２)を設け、且つ滑り止め用材（１３）を取り付けた本体（１４）にネジb（１５）で取り付けた角度調節可能な肩掛けバックベルトの支持具。
以上の構成よりなる肩掛けバックベルトの支持具。
【発明の効果】
【０００９】
本発明を使用することによって肩掛けバックのベルトは水平に保たれ、滑り止め用材と斜めに下がった肩は最大限密着し、従来のように滑り止め用材と肩の間に生じていた隙間は無くなり、滑り止め効果は最大限発揮されることになる。
【００１０】
また布製のように柔らかく薄い肩掛けバックのベルトやアルミの鎖、細いベルト等は支持体（１）の上に乗せて止め具（９）で装着固定させ、且つ水平になるように調整することにより肩の外側によじれて脱落するということはなくなる。
【００１１】
その結果、歩行中はもとより階段の昇降時や万が一バックに何らかの衝撃が加わったとしても、従来の支持具のように肩から一気に脱落するということは無くなる。
【００１２】
またオーバーなどの厚い生地の場合は肩の角度も変わり、またコートなどの摩擦の少ない化学繊維などの場合は肩掛けバックのベルトの脱落は著しいものがあるが、本考案の支持具によって、肩掛けバックのベルトが水平になるように調節することによって肩掛けバックのベルトの脱落を防ぐことが出来る。
【００１３】
また雨の日など片手で傘を持ち、一方の手で手荷物や買い物袋等を持っている場合など肩掛けバックのベルトが肩から脱落すると非常に不快であったが本発明の支持具を使用することによってこれらの問題を除去することが出来る。
【００１４】
さらに電車や自動車の車内に於いて、今までは肩掛けバックは肩からはずして膝の上に乗せて両手で支えるか、もしくは網棚の上に乗せていたが、本発明は肩掛けバックのベルトを肩に掛けたままでも脱落は生じないので膝の上に乗せて置くだけで良く、両手が使え本などを読むことも出来る。
【００１５】
また自動車の車内においては、カーブを走行する際など同乗者は車内の手すりなどにつかまることもできるので安心、且つ安全である。
【００１６】
さらに補助体（１０）には、今まで自分で持っていたアクセサリーや手芸店、１００円専門店等で販売されている多種多様な装身具素材を貼り付けたりして自分だけのオリジナルの支持具を作ることが出來、また補助体（１０）はネジで取り付けてあるので他の形状のものに交換することも出来る。
【００１７】
本発明は肩掛けバックのベルトと一体型ではなく、ゴムやスプリング等の伸縮する止め具（９）を用いて肩掛けバックのベルトに装着する為、ベルトの形状が平や丸、甲丸、布、またはアルミの鎖といった多種多様に用いられている素材、サイズ等を選ばず使用出来る汎用性を有する。
【００１８】
また肩掛けバックのベルトが１本、２本にかかわらず使用が出来、且つワンタッチで装着が可能なため、女性のように日々肩掛けバックを交換するような場合にも便利な角度調節可能な肩掛けバックベルトの支持具である。
【図面の簡単な説明】
【００１９】
【図１】本発明の支持具の斜視図
【図２】本発明の支持具の上面図
【図３】本発明の支持具の断面図
【図４】本発明の一本ベルトの使用状態を示す正面図
【図５】本発明の二本ベルトの使用状態を示す正面図
【発明を実施するための形態】
【００２０】
以下、本発明の実施の形態を説明する。
（イ）、肩掛けバックのベルトを乗せる支持体（１）の長径の中央に歩行時の振動によるベルトの移動を防止する弧a（２）、弧ｂ（３）を設け、さらにその補完として凸部を有するベルト移動防止部（４）を設ける。
（ロ）、その支持体（１）の短径の片側には個々に異なる素材や形状が平や丸、甲丸、布、アルミの鎖といった多種多様に用いられている肩掛けバックのベルトに装着対応可能なゴムやスプリング等の止め具（９）を取り付ける凹部a（５）、凹部b（６）を設け、反対側にはその一片を引っ掛ける凸部（７）を設ける。
（ハ）、人それぞれ異なる肩の角度、また着るものによっても変化する肩の角度に対して止め具（９）で装着固定した肩掛けバックベルト（１６）が水平になるように角度を調節する為の正面に弧を有した凹部斜面（１７）に同じく指示具の角度を調節するネジb（１５）を移動させる溝（１８）を備えた角度調節部a（８）を設けた支持体（１）に、２本ベルトの肩掛けバックのベルトの外側ベルト(１９)はバックを開閉する為に止め具（９）の上に乗せたまま使用するので脱落を防止する為の補助体（１０）をネジa（１１）で支持体（１）に取り付ける。
（ニ）、その補助体（１０）には手芸店や１００円専門店等でさまざまに販売されている装身具素材を用いて、簡単に装飾加工を施すことが出来、またネジa（11）で取り付けてあるので別に用意されているさまざまな形状の補助体（１０）に交換することが出来る。
（ホ）、また各種レリーフやロゴマーク、キャラクターや自分で撮ったコーティングしたデジタルカメラの写真、図柄等ほとんどの装飾加工された補助体（１０）の取り付けが可能である。
（ヘ）、止め具（９）を取り付け、補助体（１０）を取り付けた支持体（１）に設けた角度調節部a（８）と一体で作用する角度調節部b（１２）を設け、且つ肩掛けバックの重力によるずれを防止する縁（２０）の内側に滑り止め用材（１３）を取り付けた本体（１４）に支持体（１）をネジb（１５）で取り付けた角度調節可能な肩掛けバックの支持具である。
本発明は以上の構成よりなる。
本発明を使用するには、肩掛けバックベルト（１６）を支持体（１）に乗せ、止め具（９）で装着固定させ、肩掛けバックベルト（１６）を水平にするにはネジb（１５）を緩め角度調整した後締めて固定させ使用する。二本ベルトの肩掛けバックの場合には内側ベルト（２１）は同じく止め具（９）で装着固定させ、外側ベルト（１９）はバックの開閉の為、補助体（１０）を取り付けた止め具（９）の上に乗せたまま使用する。
【符号の説明】
【００２１】
１  支持体
２  弧a
３  弧b
４  ベルト移動防止部
５  凹部a
６  凹部b
７  凸部
８  角度調節部ａ
９  止め具
１０  補助体
１１  ネジa
１２  角度調節部b
１３  滑り止め用材
１４  本体
１５  ネジb
１６  肩掛けバックベルト
１７  凹部斜面
１８  溝
１９  外側ベルト
２０  縁
２１  内側ベルト
【図１】
2014050572.tif 000003
【図２】
2014050572.tif 000004
【図３】
2014050572.tif 000005
【図４】
2014050572.tif 000006
【図５】
2014050572.tif 000007